(57)【要約】      （修正有）【課題】用箋挟等のツールを携帯することなく、紙類に好適に筆記することが可能な鞄を提供する。【解決手段】鞄は、鞄本体を有し、鞄本体の外面には、筆記台として機能する筆記台領域２１ａが設けられている。また、鞄本体には、被筆記物９０を筆記台領域２１ａに固定する主保持部材５ａと、その他の部材９１を筆記台領域２１ａ側から参照可能に固定する副保持部材５ｂを有する。主保持部材５ａと副保持部材５ｂは、互いに異なる姿勢で固定されている。【選択図】図１０
0003186536.tif 000002
【実用新案登録請求の範囲】
【請求項１】
平面形状を有していて被筆記物を支持し、当該被筆記物に文字又は図形を描く際の筆記台として機能する筆記台領域が外面に設けられた鞄本体と、前記被筆記物を筆記台領域に固定する主保持部とを有し、
前記主保持部は、他の部材に固定される固定部材と、当該固定部材と係合して固定部材に対して揺動する可動部材とを有するクリップであり、
前記筆記台領域は、筆記台構成板によって構成され、当該筆記台構成板には開口が設けられ、筆記台構成板の裏面側に裏面構成板が設けられ、
前記主保持部の固定部材は前記裏面構成板に固定されており、前記主保持部の一部が前記開口を跨ぎ、可動部材の全部又は大部分が筆記台構成板の表側に出ていることを特徴とする鞄。
【請求項２】
その他の部材を筆記台領域側から参照可能に固定する副保持部を有し、前記主保持部と副保持部とは、互いに異なる姿勢で鞄本体に固体されていることを特徴とする請求項１に記載の鞄。
【請求項３】
可動部材は、揺動軸部と、被筆記物と当接する自由端部と、前記揺動軸部と前記自由端部とを繋ぐアーム部を有し、前記揺動軸部は、前記筆記台構成板と裏面構成板との間にあり、アーム部は湾曲していて自由端部側が筆記台構成板の表側に出ていることを特徴とする請求項１又は２に記載の鞄。
【請求項４】
主保持部は、前記被筆記物を前記筆記台領域に挟持し、
前記副保持部は、前記その他の部材が前記筆記台領域から逸脱する姿勢となる様に挟持することを特徴とする請求項１乃至３のいずれかに記載の鞄。
【請求項５】
前記主保持部及び副保持部はいずれもクリップであり、前記筆記台領域は略四角形であり、前記主保持部は、前記筆記台領域の一辺の近傍にあり、副保持部は、前記主保持部は主保持部が取り付けられた辺に対して直交する辺に設けられていることを特徴とする請求項１乃至４のいずれかに記載の鞄。
【請求項６】
主保持部によって筆記台領域に固定された被筆記物を、さらに保持する保持補助部が設けられていることを特徴とする請求項１乃至５のいずれかに記載の鞄。
【請求項７】
前記鞄の内部には空間が形成され、前記空間に前記被筆記物を保管する保管部材が設けられていることを特徴とする請求項１乃至６のいずれかに記載の鞄。
【請求項８】
鞄本体の外面に、前記被筆記物を保持する収納ポケットが設けられていることを特徴とする請求項１乃至７のいずれかに記載の鞄。
【請求項９】
主保持部は、交通違反者に対して手渡す書類を筆記台領域に挟むものであり、副保持部は、交通違反者の免許証を保持し、免許証の一部を副保持部と筆記台領域との間で挟んで、免許証の表面が筆記台領域と略平行になる様に保持するものであることを特徴とする請求項１乃至８のいずれかに記載の鞄。
【請求項１０】
平面形状を有していて交通違反者に対して手渡す書類を支持し、当該書類に文字又は図形を描く際の筆記台として機能する略長方形の筆記台領域が表面に設けられ、裏面側に収納ポケットが設けられ、内部に前記書類を収納する空間と、仕切りとが設けられた鞄本体と、
前記書類を筆記台領域に固定する主保持部と、交通違反者の免許証を筆記台領域に固定する副保持部とを有し、
前記主保持部は、他の部材に固定される固定部材と、当該固定部材と係合して固定部材に対して揺動する可動部材とを有するクリップであり、前記可動部材は、揺動軸部と、被筆記物と当接する自由端部と、前記揺動軸部と前記自由端部とを繋ぐアーム部を有し、
前記主保持部は筆記台領域の短辺近傍にあって、その固定側部材が前記短辺側にあり、
前記副保持部は、固定側部材と可動側部材を有し、可動側部材が筆記台領域に向かって付勢されたクリップであり、前記副保持部は筆記台領域の長辺近傍であって前記主保持部側に寄った位置にあり、その可動側部材が前記長辺側にあり、
前記筆記台領域は、筆記台構成板によって構成され、当該筆記台構成板には開口が設けられ、筆記台構成板の裏面側に裏面構成板が設けられ、
前記主保持部の前記揺動軸部は、前記筆記台構成板と裏面構成板との間にあり、アーム部は湾曲していて前記開口を跨ぎ、自由端部側が筆記台構成板の表側に出ており、
前記書類は、その一部が主保持部の可動側部材と筆記台領域の間に挟まれてその大半の部位を筆記台領域に設置可能であり、
前記免許証は、その一部が副保持部の可動側部材と筆記台領域の間に挟まれ、且つ５０パーセント以上の領域が筆記台領域から外れた位置にあり、前記免許証の表面が筆記台領域と略平行になる様に保持され、
主保持部によって筆記台領域に固定された書類をさらに保持する保持補助部が設けられていることを特徴とする鞄。
【考案の詳細な説明】
【技術分野】
【０００１】
本考案は、鞄に関するものであり、特に紙類の下敷きとして機能させることが可能な鞄に関する。
【背景技術】
【０００２】
紙類に筆記する際に、紙類を平面状態に安定させる手段として用箋挟が多用されている。この用箋挟は、下敷きのような機能を果たす板体と、紙類をその板体に挟持するためのクリップにより構成されたものである。
通常の用箋挟で使用されているクリップは、ベース部と可動部があり、ベース部に可動部が係合している。ベース部は、クリップを板体に取り付けるための固定座として機能する部材である。
従来技術の用箋挟は、板体に、クリップが鋲止めされたものである。すなわち、従来技術の用箋挟は、板体の表面に、クリップのベース部が載置され、クリップのベース部が板体に鋲止めされている。そのため、従来技術の用箋挟は、板体の表面にベース部と鋲が露出している。
【先行技術文献】
【特許文献】
【０００３】
【特許文献１】実用新案登録第３１２８９５７号公報
【考案の概要】
【考案が解決しようとする課題】
【０００４】
ところで、前記したように、用箋挟は、紙類に筆記を行う際に便利なツールであるが、鞄などに入れても嵩張るため、常時携帯されることは少ない。つまり用箋挟は、通常、机の引き出しや本棚等に収納されており、必要に応じて、本棚等から持ち出されて使用される場合が多い。そのため、用箋挟を持ち出さなかった場合に、急にメモ等をとらなければならない状況が発生すると、何らかの手段、例えば建物の壁面等を下敷き代わりにしなければならなくなる。
【０００５】
しかしながら、屋外において、建物の壁面等を台に紙類に筆記を行うと、建物の壁面等が平面でないことが多く、紙類を平面状態に安定させることができないという状況が発生するおそれがある。また、屋外における筆記は、風に煽られる等してまともに筆記が行えないといった状況や、風で紙類が飛ばされてしまうといった状況も発生するおそれがある。特に、警察官や駐車監視員等のように、屋外における業務を主とする者が用箋挟等の筆記用のツールを忘れた場合、業務に大きな支障を生じさせる。
つまり、警察官等の作業者には、用箋挟等の筆記用ツールの携帯は必須である。
【０００６】
ところが、実際には、この種の作業者が用箋挟等を使用して業務を行う場合であっても、業務を非効率にしてしまう問題があった。
【０００７】
例えば、警察官が何らかの交通違反を取り締まる際、違反者の免許登録情報を、特定の用紙に書き記す場合があるが、その場合、違反者の免許証が参照される。つまり、警察官は、違反者から免許証を提示してもらう。そして、警察官は、その免許証と、用箋挟等とを利き手と逆の手で重ねて把持しつつ、特定の用紙に免許登録情報を書き記す。すなわち、警察官等は、用箋挟等を用いて筆記を行う場合であっても、免許証と用箋挟等を利き手と反対側の手で重ねて把持しなければならないため、筆記が安定せず、業務上、非効率となっていた。そのため、市場では、より効率的に業務が遂行できる何らかの代替品の提供が望まれている。
【０００８】
加えて、用箋挟は、前記した様に、板体にクリップが鋲止めされたものであり、板体の表面にベース部と鋲が露出している。そのため従来技術の用箋挟は、クリップの近傍がでこぼこしている。その結果、クリップの近傍部は、挟まれた用紙の底がでこぼこし、文字を書くことができない。
一般に用箋挟は、板体の端部にクリップが設けられているから、従来技術の用箋挟を使用した場合、用紙の端部近傍に文字を書くことが困難である。
【０００９】
そこで、本考案は、従来の問題点に鑑み、用箋挟等のツールを携帯することなく、紙類に好適に筆記することが可能な鞄を提供することを課題とする。
また本考案は、表面のでこぼこが少なく、その表面を下敷き替わりにして紙類に筆記することが可能な鞄を提供することを課題とする。
【課題を解決するための手段】
【００１０】
上記課題を達成するため、本考案の請求項１に記載の考案は、平面形状を有していて被筆記物を支持し、当該被筆記物に文字又は図形を描く際の筆記台として機能する筆記台領域が外面に設けられた鞄本体と、前記被筆記物を筆記台領域に固定する主保持部とを有し、前記主保持部は、他の部材に固定される固定部材と、当該固定部材と係合して固定部材に対して揺動する可動部材とを有するクリップであり、前記筆記台領域は、筆記台構成板によって構成され、当該筆記台構成板には開口が設けられ、筆記台構成板の裏面側に裏面構成板が設けられ、前記主保持部の固定部材は前記裏面構成板に固定されており、前記主保持部の一部が前記開口を跨ぎ、可動部材の全部又は大部分が筆記台構成板の表側に出ていることを特徴とする鞄である。
【００１１】
本考案の鞄では、鞄本体の一面が二重構造になっている。そしてその裏面側たる裏面構成板にクリップが固定されている。また本考案では、表面側の筆記台構成板に開口が設けられており、この開口を跨いで可動部材の全部又は大部分が筆記台構成板の表側に出ている。そのため、本考案の鞄は、表面側に主保持部の固定部材が露出せず、筆記台構成板の平滑性を確保することができる。よって、筆記台領域に固定された被筆記物に対して筆記し易い。
【００１２】
請求項２に記載の考案は、その他の部材を筆記台領域側から参照可能に固定する副保持部を有し、前記主保持部と副保持部とは、互いに異なる姿勢で鞄本体に固体されていることを特徴とする請求項１に記載の鞄である。
【００１３】
本考案の鞄は、外面に、平面状態を維持する筆記台領域が設けられており筆記台領域を下敷き代わりに使用することが可能である。つまり、用箋挟等を携帯していなくても、被筆記物を鞄の筆記台領域に沿うようにして置けば、被筆記物を平面状態に維持させておくことができる。例えば、交通反則切符等の紙類を被筆記物として使用した場合であっても、鞄の筆記台領域によって、前記交通反則切符等を平面状態に安定させておくことができる。
【００１４】
また本考案では、前記筆記台領域に交通反則切符等の被筆記物を固定可能とした主保持部が設けられているため、被筆記物を筆記台領域に挟持しておくことができる。つまり、本考案においても、従来の用箋挟と同様、被筆記物を手で保持しておくといった煩わしさは一切ない。
また本考案の鞄では、前記した主保持部の他に、副保持部が設けられている。副保持部は、例えば交通違反を犯した者の免許証等を一時的に保持するものであり、免許証等を筆記台領域側から参照可能に固定することができる。
また主保持部と副保持部とは、互いに異なる姿勢で鞄本体に固体されているから、交通反則切符等に必要事項を記載する際に邪魔にならない位置であって且つ見やすい位置に免許証等を固定することができる。
ここで、互いに異なる姿勢とは、主保持部が保持した被筆記物が、主保持部からのびる方向と、副保持部が保持したその他の部材が、副保持部からのびる方向とが相違することを意味している。そして、被筆記物とその他の部材とが重ならないように、主保持部と副保持部とが筆記台領域に配置されている。
なお、副保持部に保持された「その他の部材」に何らかの文字等を書き込んでもよい。例えば、主保持部と副保持部でそれぞれ紙を固定し、互いを参照しながら何らかの文字等をいずれに書き込んでもよい。
【００１５】
請求項３に記載の考案は、可動部材は、揺動軸部と、被筆記物と当接する自由端部と、前記揺動軸部と前記自由端部とを繋ぐアーム部を有し、前記揺動軸部は、前記筆記台構成板と裏面構成板との間にあり、アーム部は湾曲していて自由端部側が筆記台構成板の表側に出ていることを特徴とする請求項１又は２に記載の鞄である。
【００１６】
本考案の鞄では、揺動軸部が筆記台構成板と裏面構成板との間にあるから、揺動軸部が表面に露出しない。また、アーム部が湾曲していて自由端部側が筆記台構成板の表側に出ているので、被筆記物を筆記台構成板と可動部材の自由端部とで挟持することができる。
【００１７】
請求項４に記載の考案は、主保持部は、前記被筆記物を前記筆記台領域に挟持し、前記副保持部は、前記その他の部材が前記筆記台領域から逸脱する姿勢となる様に挟持することを特徴とする請求項１乃至３のいずれかに記載の鞄である。
【００１８】
主保持部は、被筆記物を筆記台領域内に挟持し、副保持部は、「その他の部材」を前記筆記台領域から逸脱するように挟持する。
すなわち主保持部によって挟持された被筆記物と、副保持部によって挟持された「その他の部材」は、その大部分において重ならない、あるいは、副主保持部によって挟持された「その他の部材」が、主保持部に挟持された被筆記物への筆記を阻害しない配置となる。これにより、主保持部に挟持された被筆記物に筆記を行う場合に、好適に筆記を行うことが可能となる。また、副保持部に挟持された免許証等の情報を参照して、主保持部に挟持された被筆記物に筆記を行う場合であっても、副保持部で挟持された免許証等の「その他の部材」を手で把持する手間が省けるため、筆記時の効率化を図ることができる。
【００１９】
請求項５に記載の考案は、前記主保持部及び副保持部はいずれもクリップであり、前記筆記台領域は略四角形であり、前記主保持部は、前記筆記台領域の一辺の近傍にあり、副保持部は、前記主保持部は主保持部が取り付けられた辺に対して直交する辺に設けられていることを特徴とする請求項１乃至４のいずれかに記載の鞄である。
【００２０】
本考案の鞄では、主保持部及び副保持部はいずれもクリップであり、構成が簡易である。また、主保持部と副保持部が、略四角形の筆記台領域に対して各々直交する辺に設けられているので、筆記台領域上のレイアウトが簡素であり、筆記等の作業が容易である。
【００２１】
請求項６に記載の考案は、主保持部によって筆記台領域に固定された被筆記物を、さらに保持する保持補助部が設けられていることを特徴とする請求項１乃至５のいずれかに記載の鞄である。
【００２２】
本考案の鞄は、被筆記物の上部のみを保持部によって挟持する用箋挟等と異なり、１つの主保持部によって挟持された被筆記物を、さらに保持する保持補助部が設けられているため、主保持部によって挟持されていない部分が、風等に煽られてめくれてしまうおそれがない。これにより、屋外であっても、被筆記物に容易に筆記することが可能となる。
【００２３】
請求項７に記載の考案は、前記鞄の内部には空間が形成され、前記空間に前記被筆記物を保管する保管部材が設けられていることを特徴とする請求項１乃至６のいずれかに記載の鞄ある。
【００２４】
本考案の鞄は、鞄の内部に紙類等の被筆記物を保管する保管部材を備えているため、筆記をしていない、又は筆記し終わった被筆記物を整頓して保管することができる。
【００２５】
請求項８に記載の考案は、鞄本体の外面に、前記被筆記物を保持する収納ポケットが設けられていることを特徴とする請求項１乃至７のいずれかに記載の鞄である。
【００２６】
本考案の鞄は、筆記途中の被筆記物や、筆記し終わった被筆記物を、鞄内部の保管部材に入れることなく、前記外面に設けられた収納ポケットに一時的に保管することができる。よって、作業効率が良好である。
【００２７】
請求項９に記載の考案は、主保持部は、交通違反者に対して手渡す書類を筆記台領域に挟むものであり、副保持部は、交通違反者の免許証を保持し、免許証の一部を副保持部と筆記台領域との間で挟んで、免許証の表面が筆記台領域と略平行になる様に保持するものであることを特徴とする請求項１乃至８のいずれかに記載の鞄である。
【００２８】
本考案の鞄では、主保持部で保持された交通違反者に対して手渡す書類と、副保持部で保持された免許証とが互いに重なることなく筆記台領域を含む平面上に配置される。そのため警察官は、免許証を参照しながら交通違反者に対して手渡す書類に容易に筆記することができる。
【００２９】
請求項１０に記載の考案は、平面形状を有していて交通違反者に対して手渡す書類を支持し、当該書類に文字又は図形を描く際の筆記台として機能する略長方形の筆記台領域が表面に設けられ、裏面側に収納ポケットが設けられ、内部に前記書類を収納する空間と、仕切りとが設けられた鞄本体と、前記書類を筆記台領域に固定する主保持部と、交通違反者の免許証を筆記台領域に固定する副保持部とを有し、前記主保持部は、他の部材に固定される固定部材と、当該固定部材と係合して固定部材に対して揺動する可動部材とを有するクリップであり、前記可動部材は、揺動軸部と、被筆記物と当接する自由端部と、前記揺動軸部と前記自由端部とを繋ぐアーム部を有し、前記主保持部は筆記台領域の短辺近傍にあって、その固定側部材が前記短辺側にあり、前記副保持部は、固定側部材と可動側部材を有し、可動側部材が筆記台領域に向かって付勢されたクリップであり、前記副保持部は筆記台領域の長辺近傍であって前記主保持部側に寄った位置にあり、その可動側部材が前記長辺側にあり、前記筆記台領域は、筆記台構成板によって構成され、当該筆記台構成板には開口が設けられ、筆記台構成板の裏面側に裏面構成板が設けられ、前記主保持部の前記揺動軸部は、前記筆記台構成板と裏面構成板との間にあり、アーム部は湾曲していて前記開口を跨ぎ、自由端部側が筆記台構成板の表側に出ており、前記書類は、その一部が主保持部の可動側部材と筆記台領域の間に挟まれてその大半の部位を筆記台領域に設置可能であり、前記免許証は、その一部が副保持部の可動側部材と筆記台領域の間に挟まれ、且つ５０パーセント以上の領域が筆記台領域から外れた位置にあり、前記免許証の表面が筆記台領域と略平行になる様に保持され、主保持部によって筆記台領域に固定された書類をさらに保持する保持補助部が設けられていることを特徴とする鞄である。
【考案の効果】
【００３０】
本考案の鞄によると、用箋挟を携帯する等の手間を省けると共に、屋外等であっても、紙類等の被筆記物へ好適に筆記を行うことが可能である。
【図面の簡単な説明】
【００３１】
【図１】本考案の実施形態に係る鞄の表側の外観を示す斜視図である。
【図２】図１の鞄における筆記台領域の分解斜視図である。
【図３】図１の鞄における筆記台領域の断面斜視図である。
【図４】図１の鞄を示す分解斜視図である。
【図５】図４の鞄本体の裏側の外観を示す斜視図である。
【図６】鞄本体の外殻に注目した断面図である。
【図７】図４の鞄本体を見開きにした状態であり内部側を示す斜視図である。
【図８】鞄本体に設けられた被係合部に注目した説明図である。
【図９】図４の鞄本体を見開きにした状態であり外部側を示す斜視図である。
【図１０】図４の鞄本体の主保持部に被筆記物を保持させた状態を示す斜視図である。
【図１１】図１の鞄を使用した状態を示す説明図である。
【考案を実施するための形態】
【００３２】
以下に、本実施形態に係る鞄について説明する。
本実施形態の鞄１は、見開き可能な構造の肩掛け鞄であって、図１，４，５に示すように、基本構成として、収容空間５０（図６）を形成する鞄本体２と、肩掛け紐３とを備えている。
【００３３】
鞄本体２は、図１，４，５に示すように、外観が概ね弁当箱状であり、且つ見開き状に開くことができる。
具体的には、鞄本体２は、表面形成部２１と、裏面形成部２２と、両者を接続する背面形成部２３とを有し、背面形成部２３を基準に、表面形成部２１と、裏面形成部２２が対面するように折れ曲がる構造である。
すなわち背面形成部２３が蝶番の如くに作用し、中央部分で折り曲げ可能な構造となっている。
そして、鞄本体２には、対面状態の表面形成部２１と裏面形成部２２を一体的に繋ぐべく、ファスナー４が設けられている。すなわち、鞄本体２は、ファスナー４によって、内部に空間を形成したり、見開き状にすることが可能である。
【００３４】
表面形成部２１は、ほぼ長方形を呈した部分であり、その断面が３つの部材を重ねた３層状の構造となっている。
すなわち、表面形成部２１は、図２、図６の様に筆記台構成板３１と、中間板材８０と、裏面構成板３２によって構成されている。
筆記台構成板３１は、筆記台領域２１ａを形成するものであり、ポリプロピレン樹脂等の樹脂で作られた板体である。
【００３５】
すなわち、表面形成部２１は、鞄本体２の外部側（外側）において、筆記台構成板３１が露出した構造である。そして、本実施形態では、筆記台構成板３１として、自身で平面形状を維持できる板状の樹脂成形品が採用されている。
すなわち筆記台構成板３１は、剛性を有しており、一定の形を自力で保持することができる。
筆記台構成板３１には、図２、図３の様に、短辺１２ａの近傍に、スリット状の開口７０が設けられている。
【００３６】
中間板材８０は、樹脂やパルプ等で作られた板材である。中間板材８０についても、スリット状の開口８１が設けられている。
【００３７】
一方、裏面構成板３２は、鞄本体２の裏側（内側）を構成し、生地やビニールを所定の大きさに加工したものが採用されている。
【００３８】
また、図１又は２に示すように、表面形成部２１には、鞄本体２の外部側（筆記台構成板３１側）において、主保持部５ａと副保持部５ｂと、保持補助部６が設けられている。この２つの保持部５ａ、５ｂは、いずれもクリップであり、ばね等の付勢力によって、被筆記物９０等を挟持するものである。
すなわち主保持部５ａは、図１，図４の様に固定部材６０と可動部材６１によって構成されており、可動部材６１がばね等の付勢力によって表面形成部２１の表面に向かって付勢されている。またバネの力に抗して可動部材６１を広げることができる。
可動部材６１は、図３の様に、揺動軸部７１と、被筆記物９０（図１０）と当接する自由端部７２と、前記揺動軸部７１と前記自由端部７２とを繋ぐアーム部７３を有している。
アーム部７３は、湾曲している。
固定部材６０は、金属製の板であり、鋲を挿入するための孔（図示せず）が２か所に設けられている。
また固定部材６０には、可動部材６１の揺動軸部７１が係合する軸受け部７７がある。
【００３９】
本実施形態の鞄１では、主保持部５ａの固定部材６０は、裏面構成板３２に固定されている。すなわち、固定部材６０は、筆記台構成板３１と裏面構成板３２の間に配され、裏面構成板３２に鋲７６をもって固定されている。
そして可動部材６１は、筆記台構成板３１と裏面構成板３２の間の空間内で、固定部材６０の揺動軸部７１と係合している。また可動部材６１のアーム部７３は、中間板材８０に設けられた開口８１（図２）及び筆記台構成板３１に形成された開口７０（図２）を跨ぎ、その大部分が筆記台構成板３１の表面側に出ている。もちろん、可動部材６１の自由端部７２（図３）は、その全てが筆記台構成板３１の表面側に出ている。
【００４０】
本実施形態の鞄１では、固定部材６０の大半の部位が筆記台構成板３１の裏に隠れ、筆記台構成板３１の表面には現れない。もちろん鋲７６についても、筆記台構成板３１の表面には現れない。そのため、本実施形態の鞄１では、筆記台構成板３１の固定部材６０の近傍が平滑である。
またその一方で、可動部材６１の大部分は、筆記台構成板３１の表面側にあり、自由端部７２と筆記台構成板３１との間で紙類等を挟むことができる。
【００４１】
これに対して副保持部５ｂ（図１）は、筆記台構成板３１に直接的に取り付けられている。すなわち副保持部５ｂについても、固定部材８２と可動部材８３によって構成されており、可動部材８３がばね等の付勢力によって表面形成部２１の表面に向かって付勢されている。
副保持部５ｂは、固定部材８２が筆記台構成板３１の表面（筆記台領域２１ａ）に載置され、鋲８５によって直接的に筆記台構成板３１に固定されている。
【００４２】
本実施形態では、保持補助部６は、帯状に形成されたゴムバンドである。
そして、本実施形態では、これらの保持部５ａ、５ｂと、保持補助部６が、所定の位置に固定されている。すなわち、主保持部５ａと副保持部５ｂは、互いに紙類等の挟持方向が相違した姿勢で固定されている。具体的には、主保持部５ａは、表面形成部２１の長手方向一方の端部側において、紙類等の挟持方向を表面形成部２１の長手方向他方の端部側に向けた姿勢で固定されている。すなわち主保持部５ａは、表面形成部２１の一方の短辺１２ａの近傍に設けられている。そして主保持部５ａの固定部材６０は、筆記台構成板３１と裏面構成板３２の間であって、表面形成部２１の一方の短辺１２ａ側にあり、可動部材６１は筆記台構成板３１の表面側に露出していて表面形成部２１の中央向きの位置にある。
【００４３】
他方の副保持部５ｂは、表面形成部２１の短手方向の一方の端部側において、参照物９１の挟持方向を表面形成部２１の短手方向の他方の端部側と逆方向（表面形成部２１を基準とした外方向）に向けた姿勢で固定されている。すなわち副保持部５ｂは、表面形成部２１の長辺１３ａの近傍に設けられており、参照物９１を保持すると当該参照物９１は表面形成部２１（筆記台領域２１ａ）の縁（長辺１３ａ）から逸脱する。そして副保持部５ｂの固定部材８２は、表面形成部２１の中央向きの位置にあり、可動部材８３は表面形成部２１（筆記台領域２１ａ）の長辺１３ａ側にある。すなわち、固定部材８２は、可動部材８３よりも中央側に位置している。さらに副保持部５ｂは、表面形成部２１の長手方向における主保持部５ａが配置されている側の端部付近に配置されている。すなわち、副保持部５ｂは、表面形成部２１の短辺１２ａ付近に配置されている。そのため両保持部５ａ、５ｂは、互いに「Ｌ」字型を呈する姿勢で、表面形成部２１に固定されている。
【００４４】
したがって、図１０に示すように、本実施形態では、主保持部５ａに保持させた紙類等の被筆記物９０は、その全てあるいは大半が、表面形成部２１が位置する領域（筆記台領域２１ａ）内に配され、逆に他方の副保持部５ｂに挟持させた免許証等の参照物９１は、その全てあるいは大半が筆記台領域２１ａから逸脱した位置に配される。本実施形態では、参照物９１の５０パーセントを越える領域が筆記台領域２１ａから逸脱した位置に配される。
ここで、副保持部５ｂは、表面形成部２１（筆記台領域２１ａ）の長辺１３ｂ側に配置してもよい。すなわち、副保持部５ｂを長辺１３ｂ側に配置し、副保持部５ｂに保持された参照物９１が、表面形成部２１（筆記台領域２１ａ）の長辺１３ｂ側から逸脱するようにしてもよい。
【００４５】
一方、図１又は４に示すように、保持補助部６は、表面形成部２１の長手方向他方の端部寄り（すなわち、主保持部５ａを設置した側とは反対側の端部付近）に取り付けられている。具体的には、保持補助部６は、表面形成部２１の長手方向他方の端部寄りの位置において、表面形成部２１の短手方向に沿ってのびる様に配し、両端を表面形成部２１の長辺１３ａ側の縁の両端付近に接続している。
【００４６】
裏面形成部２２（図５）は、表面形成部２１と同一の形状であり、ほぼ長方形を呈した部分である。また、裏面形成部２２についても、その断面が３つの部材を積層した３層状の構造となっている。すなわち、裏面形成部２２の断面は、図６に示すように、鞄本体２の外面側（外側）を形成する外面表皮部材３５と、鞄本体２の裏面側（内側）を形成する裏面表皮部材３６と、中間に設けられた芯部材３７で構成されている。つまり、裏面形成部２２は、鞄本体２の外部側において、芯部材３７が外面表皮部材３５によって被覆された構造である。そして、本実施形態では、芯部材３７を被覆する外面表皮部材３５として、合皮素材を所定の大きさに加工したものが採用されている。
【００４７】
図６に示す様に、裏面形成部２２と背面形成部２３は、化粧シート３８で被覆されている。化粧シート３８は、例えば合成皮革製である。
【００４８】
また、図５に示すように、裏面形成部２２（化粧シート３８上）には、鞄本体２の外部側（外面表皮部材３５側）において、収納ポケット７と、複数（本実施形態では２つ）の被係合部９ａ、９ｂが設けられている。収納ポケット７は、紙類を保持させることが可能なポケットであり、本実施形態では、内部の視認が可能な透明性の高い樹脂（例えばポリエチレンテレフタレートやポリプロピレン等）で成形されている。被係合部９ａ、９ｂは、肩掛け紐３の取り付けに寄与する部分であり、環状に形成された部材である。
【００４９】
そして、本実施形態では、収納ポケット７を裏面形成部２２のほぼ中央に取り付け、２つの被係合部９ａ、９ｂを収納ポケット７の近傍に位置するように取り付けられている。具体的には、収納ポケット７は、図５に示す様に、裏面形成部２２の短手方向一方の端部側に開放部が向けられて固定され、その収納ポケット７の開放部が向けられた裏面形成部２２の端部側に被係合部９ａ、９ｂが固定されている。さらに言えば、２つの被係合部９ａ、９ｂは、裏面形成部２２の長手方向に沿って一定距離（本実施形態では裏面形成部２２の略長手方向長さ）間隔を空けた位置に固定されている。すなわち、各被係合部９ａ、９ｂは、長方形形状の裏面形成部２２の長辺１４ｂを隔てて隣接するコーナ部分に固定されている。
【００５０】
次に背面形成部２３について説明する。図５に示すように、背面形成部２３は、前記した表面形成部２１と裏面形成部２２の間に配置された部材である。図９に示す様に、鞄本体２を拡げた状態で、背面形成部２３を表面形成部２１及び裏面形成部２２と比較すると、
背面形成部２３の長手方向の長さは、表面形成部２１及び裏面形成部２２の長手方向の長さと一致しているが、背面形成部２３の短手方向の長さは、表面形成部２１及び裏面形成部２２の短手方向の長さよりも相当に短い。
【００５１】
背面形成部２３の断面構造は、表面形成部２１及び裏面形成部２２の断面構造と同一である。すなわち、背面形成部２３は、３つの部材を積層した構造を有しており、図６に示すように、外面表皮部材４１と、裏面表皮部材４２と、その間に配された芯部材４３で構成されている。背面形成部２３を構成する外面表皮部材４１、裏面表皮部材４２、及び芯部材４３は、各々前述の裏面形成部２２の外面表皮部材３５、裏面表皮部材３６、及び芯部材３７と同一の素材で構成されている。
【００５２】
そして、表面形成部２１と裏面形成部２２は、背面形成部２３を介して連続している。すなわち、表面形成部２１の筆記台構成板３１と裏面形成部２２の外面表皮部材３５は、背面形成部２３の外面表皮部材４１を介して連続しており、表面形成部２１の裏面構成板３２と裏面形成部２２の裏面表皮部材３６は、背面形成部２３の裏面表皮部材４２を介して連続しており、表面形成部２１の中間板材８０と裏面形成部２２の芯部材３７は、背面形成部２３の芯部材４３を介して連続している。
【００５３】
また、図９に示すように、背面形成部２３には、鞄本体２の外部側（外面表皮部材４１側）において、背板側ポケット１０が設けられている。背板側ポケット１０は、前記した収納ポケット７に比べると、かなり小さいポケットである。そして、背板側ポケット１０は、収納ポケット７と同様、内部の視認が可能な透明性の高い樹脂で成形されている。なお、この背板側ポケット１０は、背面形成部２３の長手方向一方の端部寄りに取り付けられている。
【００５４】
また、図６に示すように、鞄本体２の内部側に注目すると、紙類等の被筆記物を収容できる収容空間５０が設けられている。収容空間５０には、図７に示す複数のクリアーフォルダ８（保管部材）と仕切り１５（保管部材）が備えられている。すなわち、鞄本体２は、紙類等の被筆記物を整理して保管可能な機能を有している。なお、このクリアーフォルダ８（保管部材）は、裏面表皮部材３６における収納空間５０を仕切る側の面に設けられている。また、仕切り１５は、裏面構成板３１における収納空間５０を仕切る側の面に設けられている。
なお、本実施形態では、背面形成部２３の鞄本体２の内部側において、前記した被係合部９ａ、９ｂと同一の部材（被係合部９ｃ）が１つ設けられている。そして、この被係合部９ｃは、背面形成部２３の長手方向一方の端部側に固定されている。
また、クリアーフォルダ８と仕切り１５の位置を逆にしてもよい。すなわち、クリアーフォルダ８を裏面構成板３１における収納空間５０を仕切る側の面に設け、仕切り１５を裏面表皮部材３６における収納空間５０を仕切る側の面に設けてもよい。
【００５５】
一方、肩掛け紐３（図１、図４）は、公知のそれと同様であり、一定の幅を有した帯状の紐であり、長さ調整可能な調節機能が付与されている。また、図４に示す様に、本実施形態の肩掛け紐３は、前記した被係合部９ａ〜９ｃと係合可能なフック状の係合部１１ａ〜１１ｃが設けられている。
【００５６】
次に、本実施形態に係る鞄を構成する各部材の位置関係について説明する。
本実施形態の鞄１は、前記したように、鞄本体２と肩掛け紐３を基本構成としており、使用時においては、図８に示す様に、鞄本体２に肩掛け紐３が取り付けられている。すなわち、使用時においては、肩掛け紐３の係合部１１ａ〜１１ｃのうちのいずれか２つを、鞄本体２の被係合部９ａ〜９ｃのうちのいずれか２つに係合させている。なお、鞄本体２に設けられた被係合部９ａ〜９ｃは、概ね直角三角形の各頂点を形成する配置となっている。
【００５７】
また、鞄本体２に注目すると、図９に示すように、２つの主保持部５ａ，５ｂ、保持補助部６、収納ポケット７、並びに、背板側ポケット１０が、所定の位置関係で配されている。すなわち、裏面形成部２２に設けられた２つの被係合部９ａ，９ｂの間に、収納ポケット７が配されている。図９に示すように、この収納ポケット７の開口７ａは、背面形成部２３とは反対側に開いている。つまり、収納ポケット７の開口７ａは、鞄本体２の開放方向と同一の方向となる姿勢で取り付けられている。
【００５８】
図１、図２、図９に示す主保持部５ａと副保持部５ｂは、前記したように、長方形形状の表面形成部２１の長手方向の一方の端部付近に設けられており、互いに「Ｌ」字型を形成するような配置となっている。すなわち、主保持部５ａは、表面形成部２１の一方の短辺付近に配され、副保持部５ｂは表面形成部２１の主保持部５ａが配された側の短辺１２ａ付近であって、背面形成部２３に連続する側の長辺１３ａ付近に配されている。また、保持補助部６は、主保持部５ａに近接する側とは反対側の短辺１２ｂ付近に配されている。そして、背面形成部２３における保持補助部６と同様の位置に、背板側ポケット１０が配されている。
【００５９】
続いて、本実施形態の鞄１の使用例について説明する。
本実施形態の鞄１は、屋外の業務を主とする者、例えば、警察官や駐車監視員等（以下、警察官等と称す）の使用に好適な機能を有している。
警察官等は、法定スピードを超過した車両や、駐車禁止区域等に駐車した車両を発見した際、交通反則切符や、放置駐車確認標章等の紙類に、違反者や車両の情報を筆記する必要がある。
【００６０】
そこで、警察官等が、前記のような交通違反者や駐車違反車両を発見した際に、鞄本体２のファスナー４を開口方向に揺動させ、図７に示すように、鞄本体２を見開き状態にし、クリアーフォルダ８（保管部材）もしくは仕切り１５（保管部材）に保管してある交通反則切符や、放置駐車確認標章等の紙類（被筆記物）を取り出し、再びファスナー４を閉口方向に揺動させ、対面状態の表面形成部２１と裏面形成部２２を一体的に繋ぐ。そして、図１０に示すように、取り出した前記紙類を表面形成部２１に位置する領域（筆記台領域２１ａ）内に載置し、主保持部５a で前記紙類の上辺を挟持し、さらに保持補助部６で、前記紙類の下部を挟持することで、風に煽られる等しても前記紙類を平面状態に安定させ、正確な筆記を行うことができる。
すなわち、筆記台領域２１ａたる筆記台構成板３１は、相当の剛性と硬度を有し、且つ平滑である。そのため筆記台構成板３１に紙類を載置すると、ボールペン等の筆記具で筆記を容易に行うことができる。特に、警察官が使用する交通反則切符は、ノーカーボン紙による複写を行うものであるから、筆記の際にボールペン等で強く紙面を押圧する必要があるが、本実施形態の鞄１は、筆記台構成板３１が相当の剛性と硬度を有しているから、ボールペン等に押圧力に耐える。
【００６１】
また本実施形態の鞄１では、主保持部５a の固定部材６０が、表面形成部２１の内部に埋没しており、筆記台構成板３１の外側には現れない。したがって、筆記台構成板３１は、上辺の近傍まで表面が平滑である。そのため、交通反則切符等を主保持部５a に挟んだ状態において、主保持部５a の近傍に至る範囲についても、交通反則切符等は平滑面に載置されることとなり、主保持部５a の近傍に至る範囲に文字等を書くこともできる。
また本実施形態の鞄１では、交通反則切符等の下に凹凸が無いので、交通反則切符等が痛まない。すなわち交通反則切符等は、前記したようにノーカーボン紙で構成されているから、凹凸面に押圧されると、その押圧力によってインキが詰め込まれたカプセルが破れ、色づいてしまう。
これに対して本実施形態の鞄１を使用すると、交通反則切符等の下面に凹凸が無いので、交通反則切符等が色づくことがない。
【００６２】
また本実施形態の鞄１では、副保持部５ｂで、違反者の免許証等を表面形成部２１に位置する領域（筆記台領域２１ａ）から逸脱する方向に保持することで、前記免許証等が、前記紙類と重なることなく、免許証に記載の違反者の情報を参考にしながら、前記紙類に正確に筆記が可能となる。
また免許証等の表面は、表面形成部２１に位置する領域（筆記台領域２１ａ）と略平行姿勢となるので、参照し易い。
【００６３】
筆記作業が終了したら、前記した紙類の取り出し作業と逆の手順で鞄本体２のクリアーフォルダ８（保管部材）に前記紙類を保管する。
【００６４】
また、前記紙類の筆記途中に別の作業をしなければならなくなった場合や、前記紙類の筆記が終了しても、続けて別の紙類に筆記をする等の場合は、図５に示す鞄本体２の裏面形成部２２に設けられている収納ポケット７に、前記筆記済みの紙類を一時的に保管しておくことができる。これにより、筆記済みの紙類を保管するために、いちいち紙類の取り出し作業と逆の手順を踏む手間を省くことができる。
【００６５】
さらに、警察官等が、本実施形態の鞄１を使用する際に、常に鞄本体２を手で把持しながら持ち運んだり、前記鞄本体２を利き手とは逆の手で把持しながら、前記鞄本体２の表面形成部２１に載置した前記紙類に利き手で筆記を行うのは、作業を非効率化させてしまうため、図１１に示すように、肩掛け紐３を肩に掛けて鞄１を持ち運んだり、肩掛け紐３を肩に掛けた状態で紙類に筆記する。すなわち、肩掛け紐３の係合部１１ａ〜１１ｃを、鞄本体２の被係合部９ａ〜９ｃのそれぞれに対して係合させることで、肩掛け紐３を肩に掛けて鞄１を持ち運んだり、紙類に筆記を行うことができるため、作業を効率化できる。
【００６６】
なお、本実施形態の鞄１の使用例を説明するために、警察官等における使用例を説明したが、本実施形態の鞄１は、工事現場や工場、病院等での業務であっても作業を効率化させることが可能である。
【００６７】
また、上記実施形態では、被筆記物９０を固定する保持部（５ａ）が、表面形成部２１に１つ設けられている構成を示したが、本考案はこれに限定されず、２つ以上設けても良い。例えば、主保持部（５ａ）を３つ設ける場合、１つの主保持部を表面形成部２１の長手方向一方の端部側（長方形の一方の短辺１２ａ付近）に設置し、別の主保持部を表面形成部２１の短手方向一方の端部寄り（長方形の一方の長辺１３ａ付近）に設置し、さらに別の１つの主保持部を短手方向他方の端部寄り（長方形の他方の長辺１３ｂ付近）に設置するという構成であっても構わない。
【００６８】
また、上記実施形態では、副保持部５ｂは、保持した参照物９１（免許証等）を表面形成部２１に位置する領域（筆記台領域２１ａ）から逸脱するように配置されているという構成を示したが、本考案はこれに限定されない。例えば、参照物９１を表面形成部２１に位置する領域（筆記台領域２１ａ）から逸脱する方向で固定された副保持部５ｂは、図１０のような姿勢だけでなく、主保持部５ａと副保持部５ｂが異なる姿勢で固定され、主保持部５ａと副保持部５ｂが挟持した平面部材（参照物９１と被筆記物９０）同士が、互いを阻害しない（重ならない）姿勢であれば、どのような姿勢で表面形成部２１に固定されても良い。
【００６９】
また、上記実施形態では、鞄本体２の開閉手段をファスナー４とする構成を示したが、本考案はこれに限定されない。例えば、凹凸を有した留め具であったり、磁性体の留め具とする構成であっても構わない。
【符号の説明】
【００７０】
１    鞄
２    鞄本体
３    肩掛け紐
４    ファスナー
５ａ  主保持部
５ｂ  副保持部
６    保持補助部
７    収納ポケット
８    クリアーフォルダ（保管部材）
９ａ、９ｂ、９ｃ  被係合部
２１  表面形成部
２１ａ  筆記台領域
２２  裏面形成部
２３  背面形成部
３１  筆記台構成板
３２  裏面構成板（他の部材）
３５、４１  外面表皮部材
５０  収容空間
６０  固定部材
６１  可動部材
７０  開口
７１  揺動軸部
７２  自由端部
７３  アーム部
９０  被筆記物
９１  参照物（その他の部材）
【図１】
0003186536.tif 000003
【図２】
0003186536.tif 000004
【図３】
0003186536.tif 000005
【図４】
0003186536.tif 000006
【図５】
0003186536.tif 000007
【図６】
0003186536.tif 000008
【図７】
0003186536.tif 000009
【図８】
0003186536.tif 000010
【図９】
0003186536.tif 000011
【図１０】
0003186536.tif 000012
【図１１】
0003186536.tif 000013